(57)【要約】  デジタル立体画像印刷用の可動式の加圧および遮光機構は、ベース（１）、ガントリー（２）、感光台（３）、露光システム装置（４）を備える。ベース（１）は内側に感光台（３）が設けられた溝を有し、２つのガントリー（２）は平行にベース（１）上に固定され、スライドウェイ（２２）はガントリー（２）の間に設けられる。ネジはスライドウェイ（２２）内に設けられ、一端がモータ（１２）に接続され、モータ（１２）は露光システム装置（４）に接続される。露光システム装置（４）の上端面はネジで接続される。レーザ走査線開口部は露光システム装置（４）の底面に、光学格子加圧機構（３１）と光学格子加圧板とは感光台（３）に設けられる。露光システム装置（４）は光学格子加圧機構（３１）と光学格子加圧板と同期して動作し、感光台（３）の移動で立体印刷が行われる。当該機構は、適切な構造、安定した性能、色彩豊かな立体画像印刷に有利である。
2016500155.tif 000002
【特許請求の範囲】
【請求項１】
ベース、複数のガントリー、感光台、および露光システム装置を備えたデジタル立体画像印刷のための可動式の加圧および遮光機構であって、
上記ベースは、上記感光台が内側に設けられる溝を有しており、
上記ガントリーの数は２つであり、２つの上記ガントリーは平行に配置され、かつ、上記ベース上に固定されており、
スライドウェイは、２つの上記ガントリーの間に設けられており、
ネジは、上記スライドウェイに設けられており、かつ、上記ネジの一端は、第２モータに接続されており、
上記第２モータは、上記露光システム装置に接続されており、
２つのスライドブロックは、上記露光システム装置の上端面の上に設けられており、
上記露光システム装置は、２つの上記スライドブロックを介して、上記ネジに接続されており、
レーザ走査線開口部は、上記露光システム装置の底面に設けられていることを特徴とするデジタル立体画像印刷のための可動式の加圧および遮光機構。
【請求項２】
写真紙コンベアは、上記感光台の上に設けられており、
上記写真紙コンベアは、複数の吸引口を備え、かつ、スリーブによって上記感光台に接続されており、
２つの第１モータはそれぞれ、上記ベースの２つの側面に配置されており、かつ、上記露光システム装置に接続されており、
２つの無端丸ベルトはそれぞれ、上記ベースの前側および後側に平行に配置されており、
２つのローラはそれぞれ、上記ベースの上面の左側および右側に平行に配置されており、
２つのシャッタ装置はそれぞれ、２つの上記ローラの上方に設けられており、
２つの上記ローラは、上記ベースおよび上記感光台を通過し、
２つの上記無端丸ベルトはそれぞれ、スリーブによって２つの上記ローラに接続されており、
２つの上記第１モータは、上記ベースの一方の側に配置されており、
２つの上記第１モータはそれぞれ、２つのタイヤを介して、２つの上記ローラの端部に接続されていることを特徴とする請求項１に記載のデジタル立体画像印刷のための可動式の加圧および遮光機構。
【請求項３】
２つの光学格子クランプ機構はそれぞれ、上記感光台の２つの側面に可動であるように設けられており、
２つの上記光学格子クランプ機構はそれぞれ、光学格子マウンド層固定板、光学格子マウンド層、および第１エアシリンダを備えており、
上記エアシリンダは、上記露光システム装置に接続されており、
上記光学格子マウンド層固定板は、上記感光台の２つの側面に可動であるように設けられており、
上記光学格子マウンド層は、上記光学格子マウンド層固定板の上に配置されていることを特徴とする請求項１または２に記載のデジタル立体画像印刷のための可動式の加圧および遮光機構。
【請求項４】
光学格子加圧機構は、上記感光台の上に配置されており、
上記光学格子加圧機構は、スライドブロック固定板、２つのスライドブロック、スライドウェイ固定板、遮光加圧ローラ、加圧板ローラセット固定板、加圧板ローラセット側板、および補強支持ロッドを備えており、
エアシリンダは、上記スライドブロック固定板上に配置されており、
２つの上記スライドブロックは、上記スライドブロック固定板の２つの端部上に固定されており、
エアシリンダ接続ユニットは、上記加圧板ローラセット固定板上に配置されており、
２つの上記スライドブロックは、上記スライドブロック固定板の２つの端部上に固定されており、
レーザ走査開口部は、上記遮光加圧ローラの間に設けられており、
２つの平行なスライドウェイは、上記加圧板ローラセット固定板の裏面上に配置されており、
上記スライドウェイ固定板は、当該スライドウェイ固定板の上に設けられた２つのスライドブロックを有しており、かつ、フレキシブルな接続を形成するために、当該スライドブロックによって、上記加圧板ローラセット固定板の上記スライドウェイの範囲内に制限されており、
上記加圧板ローラセット側板は、上記加圧板ローラセット固定板の上に取り付けられており、
２つの遮光加圧ローラは、上記加圧板ローラセット固定板の底部に配置されていることを特徴とする請求項１または２に記載のデジタル立体画像印刷のための可動式の加圧および遮光機構。
【請求項５】
上記光学格子加圧機構の上記スライドブロック固定板の２つの上記スライドブロックはそれぞれ、２つの上記無端丸ベルトの上に配置されていることを特徴とする請求項２に記載のデジタル立体画像印刷のための可動式の加圧および遮光機構。
【請求項６】
上記ベースの上面と同じサイズを有するローラシャッタのロールはそれぞれ、２つの上記シャッタ装置に設けられており、
上記ローラシャッタのそれぞれの第１端部は、上記シャッタ装置の内部に取り付けられており、
上記ローラシャッタのそれぞれの第２端部は、上記光学格子加圧機構の上記スライドブロック固定板に取り付けられていることを特徴とする請求項２に記載のデジタル立体画像印刷のための可動式の加圧および遮光機構。
【請求項７】
請求項１から６のいずれか１項に記載のデジタル立体画像印刷のための可動式の加圧および遮光機構のための方法であって、以下のステップＳ１〜Ｓ４を含んでいることを特徴とするデジタル立体画像印刷のための可動式の加圧および遮光機構のための方法；
ステップＳ１：
上記可動式の加圧および遮光機構を動作させる前に、上記光学格子を光学格子マウンド層および光学格子マウンド層固定板によってクランプために、上記光学格子を上記感光台に置き、
コンピュータからの画像の情報を露光システム装置によって取得し、写真材料のシートが上記写真紙コンベアと上記感光台との間に自動的に挿入され、上記感光台の上にスリーブによって固定された写真紙コンベアは、挿入された上記写真材料の吸着を容易にするための複数の吸引口を有しており、
現時点において、上記光学格子をクランプする２つの光学格子マウンド層固定板上のエアシリンダによる指令を受信し、これにより、光学格子クランプ機構は、上記光学格子を上記感光材料の方へ向かって下方に押し付けるように駆動し、
同時に、上記ベースの２つの側面上のモータは、２つのローラを右方向に回転させるように動作を開始し、右方向に回転した２つの上記ローラは、当該ローラに設けられた２つの上記無端丸ベルトを右方向に移動させるように駆動し、２つの上記無端丸ベルトは、当該無端丸ベルトに設けられた上記光学格子加圧機構を右方向に移動させるように駆動し、
また、２つのシャッタ装置が動作を開始し、右側のシャッタ装置は、２つの上記ローラシャッタの一方を回収し、左側のシャッタ装置は、上記ローラシャッタの他方を解放し、これにより、上記感光台の格子写真材料がビームによって描画されないように、上記ベースが常に覆われ、
また、上記光学格子加圧機構上のエアシリンダは、動作を開始し、これにより、上記スライドウェイ固定板が下方へ押しつけられ、上記スライドウェイ固定板上の２つのスライドブロックはそれぞれ、上記加圧板ローラセット固定板を押し下げるように、上記加圧板ローラセット固定板の２つのスライドウェイとともに押し下げられ、これにより、上記遮光加圧ローラは、上記光学格子と上記感光材料とをともに密着させながら圧縮することができ、
また、ガントリーの上のモータは、ネジを回転させて駆動するための指令を露光システム装置から受信し、回転させられた上記ネジは、上記露光システム装置上の２つのスライドブロックを右方向に移動させるように駆動し、これにより、上記露光システム装置は、右方向へ移動を開始し、上記露光システム装置および上記光学格子加圧機構は、同期して比較的静的に移動し、
上記露光システム装置は、当該露光システム装置の底面に設けられたレーザ走査線開口部を介してレーザを出射し、出射された上記レーザは、上記光学格子加圧機構の２つの遮光加圧ローラ上に照射され、
レーザ走査線開口部は、２つの上記遮光加圧ローラの間に設けられており、上記露光システム装置によって出射された上記レーザは、２つの上記遮光加圧ローラの間の上記レーザ走査線開口部を通過し、上記写真材料に対する第１走査露光を行い、
上記第１走査露光が完了した場合、上記光学格子加圧機構の上記エアシリンダは、上記遮光加圧ローラを上記加圧板ローラセット固定板の上に押し上げるように動作し、上記光学格子マウンド層固定板上の上記エアシリンダは、上記光学格子マウンド層固定板を上記感光台に押し付け続けるように動作し、
また、上記ベース上の上記モータは左方向への回転を開始し、２つの上記ローラを回転させるように駆動し、続いて、２つの上記ローラは、上記光学格子加圧機構を左方向へ移動させるように駆動し、
続いて、２つの上記シャッタ装置は同時に走査を開始し、左側の上記シャッタ装置は、上記ローラシャッタの一方を回収し、右側の上記シャッタ装置は、上記ローラシャッタの他方を解放し、これにより、上記ベースが常に覆われ、
また、上記ガントリー上の上記モータは、上記ネジを回転させて駆動するための指令を上記露光システム装置から受信し、回転させられた上記ネジは、上記露光システム装置を左方向に移動させるように駆動し、上記露光システム装置および上記光学格子加圧機構は、元の位置へと戻るために、同期して反対の位置の左方向に移動し、
ステップＳ２：
上記第１走査露光が完了した場合、上記コンピュータによって第２画像の情報を送信し、上記露光システム装置が上記情報を取得した場合、上記感光台は、上記ステップＳ１とは異なる走査線の位置を有するように、上記ステップＳ１における自身の位置を変更し始め、
また、上記露光システム装置、上記光学格子加圧機構、および上記シャッタ装置は、第２走査露光を完了させるために、同期して右方向に移動し始め、上記第２走査露光が完了した場合、上記露光システム装置、上記光学格子加圧機構、上記感光台、および上記シャッタ装置は全て、元の位置へと戻り、
ステップＳ３：
上記第２走査露光が完了した場合、上記コンピュータによって第３画像の情報を送信し、上記露光システム装置が上記情報を取得した場合、上記感光台は、上記ステップＳ２とは異なる走査線の位置を有するように、上記ステップＳ２における自身の位置を変更し始め、
また、上記露光システム装置、上記光学格子加圧機構、および上記シャッタ装置は、第３走査露光を完了させるために、同期して右方向に移動し始め、
ステップＳ４：
全ての走査が完了するまで、上記ステップＳ２および上記ステップＳ３を繰り返し、上記感光台上の上記光学格子マウンド層固定板の上記エアシリンダは、上記光学格子マウンド層固定板を元の位置へと押し上げるための指令を、上記露光システム装置から受信すし、続いて、上記光学格子は押し上げられ、上記光学格子の下に位置する上記感光材料は、現像のために現像装置に入れられる。
【発明の詳細な説明】
【発明の詳細な説明】
【０００１】
［本発明の背景］
（発明の分野）
本発明は、画像印刷装置およびその方法に関し、より具体的には、デジタル立体画像印刷のための可動式の加圧および遮光機構、ならびにその方法に関する。
【０００２】
（関連技術の説明）
デジタル立体画像産業が徐々に発展することに伴い、デジタル立体画像印刷装置は、画像を映写するための表示装置としてＬＣＤ（液晶ディスプレイ）を採用した小型化されたデジタル立体画像印刷装置から、レーザ走査型露光イメージングを採用したデジタルレーザ立体印刷装置に発展した。
【０００３】
需要家は、デジタル立体画像に対して様々な視間距離を有しており、また、視覚環境に対して様々な評価および許容可能な要件を有している。このため、デジタル立体印刷装置に採用される立体格子写真材料は、様々に異なる。
【０００４】
一般的に、デジタル立体印刷装置は、２通りの立体格子写真材料を利用する。標準的に利用される立体格子写真材料は、非常に薄く形成された、容易にカールする立体格子写真材料である。当該材料は、厚さが薄く、微細な光学格子の線を備えている。また、当該材料は、光学格子の背面が銀ハロゲン化物によって直接覆われているか、または、非常に薄く形成された立体格子写真材料を形成するために、感光性材料と光学格子とを接着する。
【０００５】
非常に薄く形成された立体格子写真材料は、デジタル立体印刷装置の印刷技術において、簡単かつ便利である。加えて、非常に薄く形成された立体格子写真材料は、初めに結合され、次に投影増感が実行され、その後に印刷され、そして立体を形成するために乾燥される。この種類の立体画像は、優れた品質と近い視距離とを有する。
【０００６】
別の種類の立体格子写真材料は、厚さが厚く、襞上の表面を作ることができず、光学格子は太い線を有する。従って、この種類の立体格子写真材料は、自動印刷のための立体印刷システムに適用されず、光学格子の背面が銀ハロゲン化物によって覆われない。さらに、感光材料と光学格子とは、前もって接着できない。
【０００７】
この種類の厚い光学格子写真材料では、デジタル立体印刷装置に用いる場合に、複雑な印刷技術が要求される。この種類の厚い光学格子写真材料は、初めに重ね合わせられ、次に潜像を露光するために投影される。その後、写真材料および光学格子は、分離され、印刷され、そして、画像を作るために乾燥される。さらにその後、画像は、立体を形成するために光学格子と結像される。この種類の立体は、遠い視距離および良好な立体感を有する。
【０００８】
しかしながら、この方法は、一般的なデジタル立体画像の印刷装置に適していない。加えて、デジタル立体印刷装置と比較すると、当該方法は、高度な技巧を要求するものであり、複雑な技術および不安定な品質を有する。立体の焦点の一部は、ぼやける場合がある。このことは、画像と光学格子との線による合成を成功させるために極めて重要である。
【０００９】
［本発明の概要］
従って、上述の目的を実現するために、本発明は、デジタル立体画像印刷のための可動式の加圧および遮光機構を提供している。当該機構は、ベース、複数のガントリー、感光台、および露光システム装置を備えたデジタル立体画像印刷のための可動式の加圧および遮光機構であって、上記ベースは、上記感光台が内側に設けられる溝を有しており、上記ガントリーの数は２つであり、２つの上記ガントリーは平行に配置され、かつ、上記ベース上に固定されており、スライドウェイは、２つの上記ガントリーの間に設けられており、ネジは、上記スライドウェイに設けられており、かつ、上記ネジの一端は、第２モータに接続されており、上記第２モータは、上記露光システム装置に接続されており、２つのスライドブロックは、上記露光システム装置の上端面の上に設けられており、上記露光システム装置は、２つの上記スライドブロックを介して、上記ネジに接続されており、レーザ走査線開口部は、上記露光システム装置の底面に設けられている。
【００１０】
写真紙コンベアは、上記感光台の上に設けられており、上記写真紙コンベアは、複数の吸引口を備え、かつ、スリーブによって上記感光台に接続されており、２つの第１モータはそれぞれ、上記ベースの２つの側面に配置されており、かつ、上記露光システム装置に接続されており、２つの無端丸ベルトはそれぞれ、上記ベースの前側および後側に平行に配置されており、２つのローラはそれぞれ、上記ベースの上面の左側および右側に平行に配置されており、２つのシャッタ装置はそれぞれ、２つの上記ローラの上方に設けられており、２つの上記ローラは、上記ベースおよび上記感光台を通過し、２つの上記無端丸ベルトはそれぞれ、スリーブによって２つの上記ローラに接続されており、２つの上記第１モータは、上記ベースの一方の側に配置されており、２つの上記第１モータはそれぞれ、２つのタイヤを介して、２つの上記ローラの端部に接続されている。
【００１１】
２つの光学格子クランプ機構はそれぞれ、上記感光台の２つの側面に可動であるように設けられており、２つの上記光学格子クランプ機構はそれぞれ、光学格子マウンド層固定板、光学格子マウンド層、およびエアシリンダを備えており、上記エアシリンダは、上記露光システム装置に接続されており、上記光学格子マウンド層固定板は、上記感光台の２つの側面に可動であるように設けられており、上記光学格子マウンド層は、上記光学格子マウンド層固定板の上に配置されている。
【００１２】
光学格子加圧機構は、上記感光台の上に配置されており、上記光学格子加圧機構は、スライドブロック固定板、２つのスライドブロック、スライドウェイ固定板、遮光加圧ローラ、加圧板ローラセット固定板、加圧板ローラセット側板、および補強支持ロッドを備えており、エアシリンダは、上記スライドブロック固定板上に配置されており、２つの上記スライドブロックは、上記スライドブロック固定板の２つの端部上に固定されており、エアシリンダ接続ユニットは、上記加圧板ローラセット固定板上に配置されており、２つの上記スライドブロックは、上記スライドブロック固定板の２つの端部上に固定されており、レーザ走査開口部は、上記遮光加圧ローラの間に設けられており、２つの平行なスライドウェイは、上記加圧板ローラセット固定板の裏面上に配置されており、上記スライドウェイ固定板は、当該スライドウェイ固定板の上に設けられた２つのスライドブロックを有しており、かつ、フレキシブルな接続を形成するために、当該スライドブロックによって、上記加圧板ローラセット固定板の上記スライドウェイの範囲内に制限されており、上記加圧板ローラセット側板は、上記加圧板ローラセット固定板の上に取り付けられており、２つの遮光加圧ローラは、上記加圧板ローラセット固定板の底部に配置されている。
【００１３】
上記光学格子加圧機構の上記スライドブロック固定板の２つの上記スライドブロックはそれぞれ、２つの上記無端丸ベルトの上に配置されている。
【００１４】
上記ベースの上面と同じサイズを有するローラシャッタのロールはそれぞれ、２つの上記シャッタ装置に設けられており、上記ローラシャッタのそれぞれの第１端部は、上記シャッタ装置の内部に取り付けられており、上記ローラシャッタのそれぞれの第２端部は、上記光学格子加圧機構の上記スライドブロック固定板に取り付けられている。
【００１５】
デジタル立体画像印刷のための可動式の加圧および遮光機構のための方法は、以下のステップＳ１〜Ｓ４を含んでいる。
【００１６】
ステップＳ１：
上記可動式の加圧および遮光機構を動作させる前に、上記光学格子を光学格子マウンド層および光学格子マウンド層固定板によってクランプために、上記光学格子を上記感光台に置き、
コンピュータからの画像の情報を露光システム装置によって取得し、写真材料のシートが上記写真紙コンベアと上記感光台との間に自動的に挿入され、上記感光台の上にスリーブによって固定された写真紙コンベアは、挿入された上記写真材料の吸着を容易にするための複数の吸引口を有しており、
現時点において、上記光学格子をクランプする２つの光学格子マウンド層固定板上のエアシリンダによる指令を受信し、これにより、光学格子クランプ機構は、上記光学格子を上記感光材料の方へ向かって下方に押し付けるように駆動し、
同時に、上記ベースの２つの側面上のモータは、２つのローラを右方向に回転させるように動作を開始し、右方向に回転した２つの上記ローラは、当該ローラに設けられた２つの上記無端丸ベルトを右方向に移動させるように駆動し、２つの上記無端丸ベルトは、当該無端丸ベルトに設けられた上記光学格子加圧機構を右方向に移動させるように駆動し、
また、２つのシャッタ装置が動作を開始し、右側のシャッタ装置は、２つの上記ローラシャッタの一方を回収し、左側のシャッタ装置は、上記ローラシャッタの他方を解放し、これにより、上記感光台の格子写真材料がビームによって描画されないように、上記ベースが常に覆われ、
また、上記光学格子加圧機構上のエアシリンダは、動作を開始し、これにより、上記スライドウェイ固定板が下方へ押しつけられ、上記スライドウェイ固定板上の２つのスライドブロックはそれぞれ、上記加圧板ローラセット固定板を押し下げるように、上記加圧板ローラセット固定板の２つのスライドウェイとともに押し下げられ、これにより、上記遮光加圧ローラは、上記光学格子と上記感光材料とをともに密着させながら圧縮することができ、
また、ガントリーの上のモータは、ネジを回転させて駆動するための指令を露光システム装置から受信し、回転させられた上記ネジは、上記露光システム装置上の２つのスライドブロックを右方向に移動させるように駆動し、これにより、上記露光システム装置は、右方向へ移動を開始し、上記露光システム装置および上記光学格子加圧機構は、同期して比較的静的に移動し、
上記露光システム装置は、当該露光システム装置の底面に設けられたレーザ走査線開口部を介してレーザを出射し、出射された上記レーザは、上記光学格子加圧機構の２つの遮光加圧ローラ上に照射され、
レーザ走査線開口部は、２つの上記遮光加圧ローラの間に設けられており、上記露光システム装置によって出射された上記レーザは、２つの上記遮光加圧ローラの間の上記レーザ走査線開口部を通過し、上記写真材料に対する第１走査露光を行い、
上記第１走査露光が完了した場合、上記光学格子加圧機構の上記エアシリンダは、上記遮光加圧ローラを上記加圧板ローラセット固定板の上に押し上げるように動作し、上記光学格子マウンド層固定板上の上記エアシリンダは、上記光学格子マウンド層固定板を上記感光台に押し付け続けるように動作し、
また、上記ベース上の上記モータは左方向への回転を開始し、２つの上記ローラを回転させるように駆動し、続いて、２つの上記ローラは、上記光学格子加圧機構を左方向へ移動させるように駆動し、
続いて、２つの上記シャッタ装置は同時に走査を開始し、左側の上記シャッタ装置は、上記ローラシャッタの一方を回収し、右側の上記シャッタ装置は、上記ローラシャッタの他方を解放し、これにより、上記ベースが常に覆われ、
また、上記ガントリー上の上記モータは、上記ネジを回転させて駆動するための指令を上記露光システム装置から受信し、回転させられた上記ネジは、上記露光システム装置を左方向に移動させるように駆動し、上記露光システム装置および上記光学格子加圧機構は、元の位置へと戻るために、同期して反対の位置の左方向に移動する。
【００１７】
ステップＳ２：
上記第１走査露光が完了した場合、上記コンピュータによって第２画像の情報を送信し、上記露光システム装置が上記情報を取得した場合、上記感光台は、上記ステップＳ１とは異なる走査線の位置を有するように、上記ステップＳ１における自身の位置を変更し始め、
また、上記露光システム装置、上記光学格子加圧機構、および上記シャッタ装置は、第２走査露光を完了させるために、同期して右方向に移動し始め、上記第２走査露光が完了した場合、上記露光システム装置、上記光学格子加圧機構、上記感光台、および上記シャッタ装置は全て、元の位置へと戻る。
【００１８】
ステップＳ３：
上記第２走査露光が完了した場合、上記コンピュータによって第３画像の情報を送信し、上記露光システム装置が上記情報を取得した場合、上記感光台は、上記ステップＳ２とは異なる走査線の位置を有するように、上記ステップＳ２における自身の位置を変更し始め、
また、上記露光システム装置、上記光学格子加圧機構、および上記シャッタ装置は、第３走査露光を完了させるために、同期して右方向に移動し始める。
【００１９】
ステップＳ４：
全ての走査が完了するまで、上記ステップＳ２および上記ステップＳ３を繰り返し、上記感光台上の上記光学格子マウンド層固定板の上記エアシリンダは、上記光学格子マウンド層固定板を元の位置へと押し上げるための指令を、上記露光システム装置から受信すし、続いて、上記光学格子は押し上げられ、上記光学格子の下に位置する上記感光材料は、現像のために現像装置に入れられる。
【００２０】
なお、上述の方法は、ステップＳ１に先立ち、プロトタイプ格子を選択するステップをさらに含むことが好ましい。当該方法は、遠い視距離および良好な立体効果を有する立体画像を印刷する前に、光学格子の線の数を決定するステップと、光学格子のシートの群から任意の光学格子のシートを選択するステップとを含む。
【００２１】
当該光学格子のシートの群は、感光台上に配置されるために、針状の焦点穴が設けられるようにパンチングされている。当該光学格子のシートの群は、プロトタイプ格子として機能し、感光台の２つの側面において、光学格子ランプ機構をクランプする。
【００２２】
また、上述の方法は、ステップＳ１に先立ち、他の専用装置において、同一の群における厚い光学格子が利用されている場合には、光学格子の線の進路に応じて、光学格子の２つの端部および側面に、複数の焦点穴をパンチングするステップをさらに含むことが好ましい。
【００２３】
また、上述の方法は、ステップＳ４の後に、投影による光受容によって印刷および乾燥された立体画像の穴の配置と、光受容の焦点位置と、焦点穴を有する光学格子の群とを結合させるステップをさらに含むことが好ましい。
【００２４】
［図面の簡単な説明］
図１は、本発明の好適な実施形態に係る可動式の加圧および遮光機構の構造的な概略図である。
【００２５】
図２は、本発明の好適な実施形態に係る可動式の加圧および遮光機構の一部の分解図である。
【００２６】
図３は、本発明の別の好適な実施形態に係る可動式の加圧および遮光機構の分解図である。
【００２７】
なお、図１〜図３における各符号は、以下の通りである。
【００２８】
１  ベース
２  ガントリー
３  感光台
４  露光システム装置
５  エアシリンダ
６  シャッタ装置
６１  ローラシャッタ
１１  写真紙コンベア
１２  第１モータ
１３  無端丸ベルト
１４  ローラ
１６  タイヤ
２１  第２モータ
２２  スライドウェイ
３１  光学格子加圧機構
１５１  光学格子マウンド層
１５２  光学格子マウンド層固定板
３１１  スライドブロック固定板
３１２  スライドブロック
３１３  スライドウェイ固定板
３１４  遮光加圧ローラ
３１５  加圧板ローラセット固定板
３１６  加圧板ローラセット側板
３１７  補強支持ロッド
【００２９】
［好適な実施形態の詳細な説明］
図１〜図３に示される通り、可動式の加圧および遮光機構は、ベース１、複数のガントリー２、感光台３、および露光システム装置４を備えている。ベース１は、溝を有しており、当該溝の内側には、感光台３が設けられている。ガントリー２の数は２つである。２つのガントリー２は、平行に配置され、かつ、ベース１上に固定されている。
【００３０】
スライドウェイ２２は、２つのガントリー２２の間に設けられている。また、ネジは、スライドウェイ２２内に設けられており、当該ネジの一端は、第２モータ２１に接続されている。第２モータ２１は、露光システム装置４に接続されている。
【００３１】
２つのスライドブロックは、露光システム装置４の上端面の上に設けられている。露光システム装置４は、２つのスライドブロックを介してネジに接続されている。レーザ走査線開口部は、露光システム装置４の底面に設けられている。
【００３２】
写真紙コンベアは、感光台３の上に設けられている。当該写真紙コンベアは、複数の吸引口を備え、かつ、スリーブによって感光台３に接続されている。２つの第１モータ１２はそれぞれ、ベース１の２つの側面に配置されている。２つの第１モータ１２はそれぞれ、露光システム装置４に接続されている。
【００３３】
２つの無端丸ベルト１３はそれぞれ、ベース１の上面の前側および後側に平行に配置されている。２つのローラ１４はそれぞれ、ベース１の上面の左側および右側に平行に配置されている。２つのシャッタ装置６はそれぞれ、２つのローラ１４の上方に設けられている。
【００３４】
２つのローラ１４は、ベース１および感光台３を通過する。２つの無端丸ベルト１３はそれぞれ、スリーブによって２つのローラ１４に接続されている。２つの第１モータ１２は、ベース１の一方の側に配置されており、２つの第１モータ１２はそれぞれ、２つのタイヤ１６を介して、２つのローラ１４の端部に接続されている。
【００３５】
２つの光学格子マウンド層１５１、および、エアシリンダ５を備えた２つの光学格子マウンド層固定板１５２はそれぞれ、感光台３の２つの側面に配置されている。エアシリンダ５は、露光システム装置４に接続されている。光学格子マウンド層固定板１５２は、感光台３上において可動であるように設けられている。２つの光学格子マウンド層１５１はそれぞれ、２つの光学格子マウンド層固定板１５２上に配置されている。
【００３６】
光学格子加圧機構３１は、感光台３の上に配置されている。光学格子加圧機構３１は、スライドブロック固定板３１１、２つのスライドブロック３１２、スライドウェイ固定板３１３、２つの遮光加圧ローラ３１４、加圧板ローラセット固定板３１５、２つの加圧板ローラセット側板３１６、および補強支持ロッド３１７を備えている。
【００３７】
エアシリンダ５は、スライドブロック固定板３１１上に配置されている。２つのスライドブロック３１２はそれぞれ、スライドブロック固定板３１１の２つの端部上に固定されている。エアシリンダ接続ユニットは、加圧板ローラセット固定板３１５上に配置されており、かつ、スライドブロック固定板３１１上のエアシリンダ５に接続されている。
【００３８】
レーザ走査線開口部は、２つの遮光加圧ローラ３１４の間に設けられている。２つの平行なスライドウェイは、加圧板ローラセット固定板３１５の裏面上に配置されている。スライドウェイ固定板３１３は、当該スライドウェイ固定板３１３に配置された２つのスライドブロックを有する。また、スライドウェイ固定板３１３は、フレキシブルな接続を形成するために、スライドブロックによって、加圧板ローラセット固定板３１５の２つのスライドウェイのそれぞれの範囲内に制限されている。
【００３９】
２つの加圧板ローラセット側板３１６は、加圧ローラセット固定板３１５上に固定され、２つの遮光加圧ローラ３１４は、加圧板ローラセット側板３１６の底部に配置されている。
【００４０】
光学格子加圧機構３１のスライドブロック固定板３１１の２つのスライドブロック３１２はそれぞれ、２つの無端丸ベルト１３上に配置されている。
【００４１】
ベース１の上面と同じサイズを有するローラシャッタ６１の２つのロールはそれぞれ、２つのシャッタ装置６の中に配置されている。ローラシャッタ６１のそれぞれの第１端部は、シャッタ装置６のそれぞれの内側に取り付けられている。また、ローラシャッタ６１のそれぞれの第２端部は、光学格子加圧機構３１のスライドブロック固定板３１１に取り付けられている。
【００４２】
デジタル立体画像印刷のための可動式の加圧および遮光機構のための方法は、以下のステップＳ１〜Ｓ４を含んでいる。
【００４３】
ステップＳ１：可動式の加圧および遮光機構を動作させる前に、光学格子を感光台３に置き、コンピュータからの画像の情報を露光システム装置４によって取得する。写真材料のシートは、感光台３と光学格子との間に挿入される。感光台３の上にスリーブによって固定された写真紙コンベアは、挿入された写真材料の吸着を容易にするための複数の吸引口を有している。
【００４４】
現時点において、２つの光学格子マウンド層固定板１５２上のエアシリンダ５による指令を受信する。これにより、光学格子クランプ機構は、光学格子を感光材料の方へ向かって下方に押し付けるように駆動し、同時に、ベース１の２つの側面の２つのモータ１２は、２つのローラ１４を右方向に回転させるように動作を開始する。右方向に回転した２つのローラ１４は、当該ローラに設けられた２つの無端丸ベルト１３を右方向に移動させるように駆動する。２つの無端丸ベルト１３は、当該無端丸ベルトに設けられた光学格子加圧機構３１を右方向に移動させるように駆動する。
【００４５】
また、２つのシャッタ装置６も動作を開始する。右側のシャッタ装置６は、２つのローラシャッタ６１の一方を回収し、左側のシャッタ装置６は、２つのローラシャッタ６１の他方を解放する。これにより、感光台３の格子写真材料がビームによって描画されないように、ベース１が常に覆われる。
【００４６】
また、光学格子加圧機構３１上のエアシリンダ５は、動作を開始する。これにより、スライドウェイ固定板３１３は、下方へ押しつけられる。そして、スライドウェイ固定板３１３上の２つのスライドブロックはそれぞれ、加圧板ローラセット固定板３１５を押し下げるように、加圧板ローラセット固定板３１５の２つのスライドウェイとともに押し下げられる。これにより、遮光加圧ローラ３１４は、光学格子と感光材料とをともに密着させながら圧縮することができる。
【００４７】
また、ガントリー２の上のモータ２１は、ネジを回転させて駆動するための指令を露光システム装置４から受信する。回転させられたネジは、露光システム装置４上の２つのスライドブロックを右方向に移動させるように駆動する。これにより、露光システム装置４は、右方向へ移動を開始する。また、露光システム装置４および光学格子加圧機構３１は、同期して比較的静的に移動する。露光システム装置４は、当該露光システム装置の底面に設けられたレーザ走査線開口部を介してレーザを出射する。出射されたレーザは、光学格子加圧機構３１の２つの遮光加圧ローラ３１４上に照射される。
【００４８】
レーザ走査線開口部は、２つの遮光加圧ローラ３１４の間に設けられているため、露光システム装置４によって出射されたレーザは、２つの遮光加圧ローラ３１４の間のレーザ走査線開口部を通過し、写真材料に対する第１走査露光を行う。
【００４９】
第１走査露光が完了した場合、光学格子加圧機構３１のエアシリンダ５は、遮光加圧ローラ３１４を加圧板ローラセット固定板３１５の上に押し上げるように動作する。光学格子マウンド層固定板１５２上のエアシリンダ５は、光学格子マウンド層固定板１５２を感光台３に押し付け続けるように動作する。
【００５０】
また、ベース１上のモータ１２は、左方向への回転を開始し、２つのローラ１４を回転させるように駆動する。続いて、２つのローラ１４は、光学格子加圧機構３１を左方向へ移動させるように駆動する。続いて、２つのシャッタ装置６は、同時に走査を開始する。左側のシャッタ装置６は、ローラシャッタ６１の一方を回収し、右側のシャッタ装置６は、ローラシャッタ６１の他方を解放する。これにより、ベース１が常に覆われる。
【００５１】
また、ガントリー２上のモータ２１は、ネジを回転させて駆動するための指令を露光システム装置４から受信する。回転させられたネジは、露光システム装置４を左方向に移動させるように駆動する。露光システム装置４および光学格子加圧機構３１は、元の位置へと戻るために、同期して比較的静的に左方向に移動する。
【００５２】
ステップＳ２：第１走査露光が完了した場合、コンピュータによって第２画像の情報を送信する。露光システム装置４が当該情報を受信した場合、感光台３は、ステップＳ１とは異なる走査線の位置を有するように、ステップＳ１における自身の位置を変更し始める。
【００５３】
また、露光システム装置４、光学格子加圧機構３１、およびシャッタ装置６は、第２走査露光を完了させるために、同期して右方向に移動し始める。第２走査露光が完了した場合、露光システム装置４、光学格子加圧機構３１、感光台３、およびシャッタ装置６は全て、元の位置へと戻る。
【００５４】
ステップＳ３：第２走査露光が完了した場合、コンピュータによって第３画像の情報を送信する。露光システム装置４が当該情報を受信した場合、感光台３は、ステップＳ２とは異なる走査線の位置を有するように、ステップＳ２における自身の位置を変更し始める。
【００５５】
また、露光システム装置４、光学格子加圧機構３１、およびシャッタ装置６は、第３走査露光を完了させるために、同期して右方向に移動し始める。
【００５６】
ステップＳ４：全ての走査が完了するまで、ステップＳ２およびステップＳ３を繰り返す。感光台３上の光学格子マウンド層固定板１５２のエアシリンダ５は、光学格子マウンド層固定板１５２を元の位置へと押し上げるための指令を、露光システム装置４から受信する。続いて、光学格子は押し上げられ、当該光学格子の下に位置する感光材料は、現像のために現像装置に入れられる。
【００５７】
なお、上述の方法は、ステップＳ１に先立ち、プロトタイプ格子を選択するステップをさらに含むことが好ましい。当該方法は、遠い視距離および良好な立体効果を有する立体画像を印刷する前に、光学格子の線の数を決定するステップと、光学格子のシートの群から任意の光学格子のシートを選択するステップとを含む。
【００５８】
当該光学格子のシートの群は、感光台上に配置されるために、針状の焦点穴が設けられるようにパンチングされている。当該光学格子のシートの群は、プロトタイプ格子として機能し、感光台の２つの側面において、光学格子ランプ機構をクランプする。
【００５９】
また、上述の方法は、ステップＳ１に先立ち、他の専用装置において、同一の群における厚い光学格子が利用されている場合には、光学格子の線の進路に応じて、光学格子の２つの端部および側面に、複数の焦点穴をパンチングするステップをさらに含むことが好ましい。
【００６０】
また、上述の方法は、ステップＳ４の後に、投影による光受容によって印刷および乾燥された立体画像の穴の配置と、光受容の焦点位置と、焦点穴を有する光学格子の群とを結合させるステップをさらに含むことが好ましい。
【００６１】
当業者であれば、図面および上述の説明によって示された本発明の実施形態は、例示的なものであり、限定的なものとして意図されたものでないことが理解できるであろう。
【００６２】
このため、本発明の目的は十分にかつ効果的に達成されていることが理解されるであろう。本発明の実施形態は、本発明の機能および構造上の原則を例示する目的のために示されたものであり、当該原則から逸脱することがなければ、変更されてよい。それゆえ、本発明は、以下に示す特許請求の範囲の精神および範囲内に含まれる全ての変更を含む。
【図面の簡単な説明】
【００６３】
【図１】本発明の好適な実施形態に係る可動式の加圧および遮光機構の構造的な概略図である。
【図２】本発明の好適な実施形態に係る可動式の加圧および遮光機構の一部の分解図である。
【図３】本発明の別の好適な実施形態に係る可動式の加圧および遮光機構の分解図である。
【図１】
2016500155.tif 000003
【図２】
2016500155.tif 000004
【図３】
2016500155.tif 000005
【国際調査報告】
2016500155.tif 000006
2016500155.tif 000007
2016500155.tif 000008
2016500155.tif 000009
2016500155.tif 000010
2016500155.tif 000011